(57)【要約】      （修正有）【課題】多連モアにおけるリールモアユニット又はアタッチメントを脱着する際に、刃やブラシ、スパイクやタイタン等が損傷しないように取り外したり、運搬したりするためのユニット脱着用補助運搬具を提供する。【解決手段】底面に複数のキャスターを具備した矩形部材の辺縁に所定の高さの枠体が形成され、多連モアのリールモアユニットを本体から脱着する際にリールモアユニットを載せて搬出するユニット脱着用補助運搬具５０であって、矩形部材５１の中央に開口５２を設けると共に、開口の長辺側の辺縁に所定の高さの枠体５３ａ、５３ｂを設けた。【選択図】図５
0003202107.tif 000002
【実用新案登録請求の範囲】
【請求項１】
底面に複数のキャスターを具備した矩形部材の辺縁に所定の高さの枠体が形成され、多連モアのリールモアユニットを本体から脱着する際に該リールモアユニットを載せて搬出するユニット脱着用補助運搬具であって、該矩形部材の中央に開口を設けると共に、該開口の長辺側の辺縁に所定の高さの枠体を設け、該リールモアユニットを載せて搬出することを特徴とするユニット脱着用補助運搬具。
【請求項２】
前記矩形部材周囲の辺縁に形成された第一枠体それぞれは、表面側に形成され、前記開口の長辺側の辺縁に形成された第二枠体それぞれは、一方が前記底面側に、他方が該表面側に形成されたことを特徴とする請求項１記載のユニット脱着用補助運搬具。
【請求項３】
前記リールモアユニットを構成するリールモアは前記開口に収容され、該リールモアよりも進行方向前方に配置された前ローラは、前記第一枠体と前記第二枠体との間に収容されることを特徴とする請求項１記載のユニット脱着用補助運搬具。
【請求項４】
前記矩形部材の材質は、ステンレスであって、前記第一枠体及び前記第二枠体それぞれは、前記矩形部材を折り曲げることにより形成され、該第一枠体の四隅は溶接されたものであることを特徴とする請求項２記載のユニット脱着用補助運搬具。
【考案の詳細な説明】
【技術分野】
【０００１】
本考案は、乗用多連モアの芝刈ユニットにおけるリールカッターやベッドナイフを研磨・交換等する際のユニットの着脱が容易になるユニット脱着用補助運搬具に関するものである。
【背景技術】
【０００２】
芝刈機（モア）は、プロペラ式回転刃を有するロータリーモアと、回転巻刃タイプのリールモアに大別される。両者は、芝を刈る刈刃の構造が相違し、ロータリーモアは刃が水平面で回転し、あたかも鎌で刈り払うようにして芝を刈るタイプである。一方、リールモアは地面に平行な軸の周囲に設置された刃とブレードで、あたかもハサミで切るようにして芝を刈るタイプである。そのような刈刃の違いにより、それぞれ適した用途がある。すなわち、ロータリーモアは主に緑地や公園などやや粗放的な芝生を能率よく刈る場合などに用いられ、リールモアは美しい刈り上がりが求められる高品質な芝生を刈る場合や、ゴルフ場のグリーンのように非常に低い刈高で刈る必要がある場合などに用いられる。
一般に、広大なフェアウエイやグリーンが形成されたゴルフ場においては、美しい刈り上がりが求められるほか、芝を刈る期間や時間帯に制約があり、効率よく美しく刈り上げることが必須要件である。このため芝刈りユニットが複数配設された乗用多連モア（特許文献１参照）が多用されている。また、それの改良として、ユニットの下降時に芝面に対する各芝刈ユニットの追随性を高
め、刈高の均一性を確保したモアユニットの昇降油圧回路（特許文献２参照）や、前後２列に装着された多連モアにおいて、各芝刈ユニットの刈取軌跡の合成刈取幅を狭くすることなく「旋回刈」「等高線刈」の際の刈残しの発生をなくす多連モア（特許文献３参照）などが提案されている。
一方、フェアウエイやグリーン上の芝の根腐れを防ぐには、芝の刈りかすや、枯れて腐った葉（サッチ）を取り除く作業（サッチング）が必要であり、芝生を植えて時間が経つと土が固まり、通気性が悪くなって芝生の面に水分が溜まってしまうことから、芝生に穴を開けて空気を入れ、酸素を与える作業（エアレーション）が必要である。これらの作業も、芝刈り同様、定期的に行う必要があり、芝刈ユニットのアタッチメントとして各種開発されている。                                                                                                                                  
【先行技術文献】
【特許文献】
【０００３】
【特許文献１】米国特許第５４５９９８４号公報
【特許文献２】特開２０１４−１１３１１５号公報
【特許文献３】特開２０１４−２０９８６６号公報
【考案の開示】
【考案が解決しようとする課題】
【０００４】
しかし、芝刈りユニットは、一定時間使用すると刃先が切れにくくなるので、リールカッターとベッドナイフを研磨したり、新品と交換する必要が生じるが、リールカッターやベッドナイフなどを損傷せずに多連モアから着脱する必要がある。またそれらのアタッチメントは、刃やブラシ、スパイクやタイタン等が設けられているので、それらを芝刈ユニットと交換する際にも、同様の注意を払いながら行う必要がある。
図４は、特許文献３に記載されている多連モアの芝刈りユニットの拡大図である。
芝刈ユニットＵ1 〜Ｕ5 は、リール式であって、ハウジング７１の前に前ローラ７０及びサッチングユニット７２、ハウジング７１の後ろに後ローラ７３がそれぞれ取付けられ、ハウジング７１には螺旋回転刃（リールカッターに相当する。）を備えたリール７４が回転可能に支持された状態で収納され、リール７４の螺旋回転刃と固定刃（上記ベッドナイフに相当する。）７５とで芝生を刈り取るように構成されている。ハウジング７１の側面には、リール７４を駆動するための油圧シリンダ７６が一体に取付けられている。
各芝刈ユニットＵ1 〜Ｕ5 のハウジング７１の上面には、連結ロッド７７が上方に向けて突出され、各傾斜アームＡ1 〜Ａ5 の先端部には、支持ロッド７８が機体Ｂの前後方向に沿って水平となって一体に取付けられ、支持ロッド７８の先端部に一体となって垂直に設けられた連結筒部７９に対して各芝刈ユニットＵ1 〜Ｕ5 の連結ロッド７７を挿通させて、当該連結ロッド７７の抜け出しを防止する構造によって、各傾斜アームＡ1 〜Ａ5 の先端部に、それぞれ芝刈ユニットＵ1 〜Ｕ5 が、支持ロッド７８を中心として僅かの範囲内でのみ回動可能で、かつ昇降可能に連結されている。従って、芝刈ユニット又はアタッチメントを昇降する際は、傾斜アームＡ1 〜Ａ5により機械的に行えばよいが、芝刈ユニットのハウジング７１に設置された連結ロッドを傾斜アームから外す場合には、刃やブラシ、スパイクやタイタン等が損傷しないように、芝刈ユニット又はアタッチメントを手で持ちあげながら取り出し、新たなものをセットする必要がある。そのため、多連モアにおけるかかる作業は、重労働が強いられる。
本考案は、上記事情に鑑み、多連モアにおけるリールモアユニット又はアタッチメントを脱着する際に、刃やブラシ、スパイクやタイタン等が損傷しないように取り外したり、運搬したりするためのユニット脱着用補助運搬具を提供することを目的とする。
【課題を解決するための手段】
【０００５】
本考案のユニット脱着用補助運搬具は、底面に複数のキャスターを具備した矩形部材の辺縁に所定の高さの枠体が形成され、多連モアのリールモアユニットを本体から脱着する際に該リールモアユニットを載せて搬出するユニット脱着用補助運搬具であって、該矩形部材の中央に開口を設けると共に、該開口の長辺側の辺縁に所定の高さの枠体を設けたことを特徴とする。
このように、キャスターを具備した矩形部材の辺縁に枠体を設け、中央に開口を設けてあるので、リールモアユニットを載せたときに、リールカッターの刃面を損傷することがない。そして、キャスターを設けてあるので、多連モアから取り外したリールモアユニットを任意の場所に搬送し、リールカッターを研磨したり新品と交換したりすることが容易である。
ここで、上記矩形部材周囲の辺縁に形成された第一枠体それぞれは、表面側に形成され、上記開口の長辺側の辺縁に形成された第二枠体それぞれは、一方が上記底面側に、他方が該表面側に形成されたことや、上記リールモアユニットを構成するリールモアが上記開口に収容され、該リールモアよりも進行方向前方に配置された前ローラは、上記第一枠体と上記第二枠体との間に収容されることが好ましい。
このように、矩形部材の周囲に上向きの第二枠体があればリールモアのハウジングが第一枠体で支持され、また、開口の辺縁の一方の第二枠体が上向きで、その間に前ローラが収容されれば、サッチングユニットが開口に収まり、リールモアユニットをスムーズに載置することができる。
また、上記矩形部材の材質は、ステンレスであって、上記第一枠体及び上記第二枠体それぞれは、上記矩形部材を折り曲げて形成され、該第一枠体の四隅は溶接されたものであることが好ましい。
このように、材質がステンレスであれば、長年使用してもさびないし、矩形部材の周囲の枠体が四隅で溶接されていれば、重量物を載置しても変形することがない。
【考案の効果】
【０００６】
本考案のユニット脱着用補助運搬具を用いれば、多連モアにからモアユニットなどを脱着する際、刃やブラシ、スパイクやタイタン等を損傷せずに取り外すことや、任意の場所に搬送することが容易になる。
【図面の簡単な説明】
【０００７】
【図１】図１は、本考案のユニット脱着用脱着用補助運搬具が適用される多連乗用モアの一例を示す平面図である。
【図２】図２は、本考案のユニット脱着用脱着用補助運搬具が適用される多連乗用モアの一例を示す側面図である。
【図３】図３は、本考案のユニット脱着用脱着用補助運搬具が適用される多連乗用モアの一例を示す正面図（一部）である。
【図４】図４は、芝刈りユニットの拡大図である。
【図５】図５は、本実施形態のユニット脱着用補助運搬具を示す平面図である。
【図６】図６は、本実施形態のユニット脱着用補助運搬具を示す背面図である。
【図７】図７は、本実施形態のユニット脱着用補助運搬具の使用例を示す図である。
【図８】図７は、本実施形態のユニット脱着用補助運搬具の使用例を示す図である。
【考案を実施するための形態】
【０００８】
本考案の実施形態について、図に基づいて説明する。
図1〜図３は、本考案のユニット脱着用脱着用補助運搬具が適用される多連乗用モアの一例を示す図である。
図１〜図３に示す多連モア１００は、機体Ｂに一対の前輪Ｄｆと一対の後輪Ｄｂが設けられ、後輪操舵により旋回する構成である。一対の前輪Ｄｆの前方には、前列の３基の芝刈ユニットＵ1 〜Ｕ3 が横方向に沿って所定の間隔をおいてリンク機構を介して機体Ｂに昇降可能に装着され、機体Ｂの下方における一対の前輪Ｄｆと一対の後輪Ｄｂとの間には、後列の２基の芝刈ユニットＵ4 ，Ｕ5 が所定間隔をおいてリンク機構を介して機体Ｂに昇降可能に装着されている。
後列の各芝刈ユニットＵ4 ，Ｕ5 は、直進走行時において、各刈取軌跡が、それぞれ前列の隣接する芝刈ユニットＵ1，Ｕ2 及び同Ｕ2 ，Ｕ3 の各刈取軌跡に対して同一幅 だけオーバーラップするように配置されている。なお、リール式の各芝刈ユニットＵ1 〜Ｕ5 は、刈り取った芝生を集草する集草箱を前方に取付けることができるように、後列の２基の芝刈ユニットＵ4 ，Ｕ5 は、前輪Ｄｆとの間に空間が確保されている。
また、ハウジング７１の側面には、リールモア７４を駆動するための油圧シリンダ７６が一体的に取付けられ、各芝刈ユニットＵ1 〜Ｕ5 のハウジング７１の上面には、連結ロッド７７が上方に向けて突出し、各傾斜アームＡ1 〜Ａ5 の先端部には、支持ロッド７８が機体Ｂの前後方向に沿って水平に取付けられ、支持ロッド７８の先端部に垂直に設けられた連結筒部７９に各芝刈ユニットＵ1 〜Ｕ5 の連結ロッド７７を挿通させて、当該連結ロッド７７の抜け出しを防止する構造によって、各傾斜アームＡ1 〜Ａ5 の先端部に、それぞれ芝刈ユニットＵ1 〜Ｕ5 が、上記支持ロッド７８を中心として僅かの範囲内でのみ回動可能な状態で連結されている。
【０００９】
図４は、芝刈ユニットの拡大図である。
図４に示すモアの機体Bの前列中央に配置された芝刈ユニットＵ2 及び後列の各芝刈ユニットＵ4 ，Ｕ5 は、いずれも水平姿勢を保持したまま昇降し、前列両端の各芝刈ユニットＵ1 ，Ｕ３（図示しない）は、昇降しながら機体Ｂの側に寄せられて、起立姿勢をとる。
各芝刈ユニットＵ1 〜Ｕ5 は、リール式で、ハウジング７１の前方に前ローラ７０及びサッチングユニット７２が取り付けられ、ハウジング７１の後方に後ローラ７３が取付けられる。
ハウジング７１には螺旋回転刃（リールカッターに相当する。）及び受刃（ベッドナイフに相当する）を備えたリールモア７４が回転可能に支持され、螺旋回転刃が回転すると、その螺旋回転刃と受刃とにより芝生を挟んで刈り取るように構成されている。また、サッチングユニット７２は、凸部が螺旋状に形成されており、回転すると芝生の芽抜きや、サッチが除去されるように構成されている。サッチングユニット７２及びリールモア７４は多連モア１００が備える駆動源により回転駆動され、前ローラ７０及び後ローラ７３は、多連モア１００に従動して回転する。
ここで、ハウジング７１には、リール７４に代えてスカイパーユニット（回転軸の周囲に多数のスパイクが形成され、土中に孔を開けて芝生の透水性、通気性を向上する機能を有する。）やブラシユニット（らせん状のブラシでサッチやゴミを拾い上げるとともに、芝目を揃える機能を有する。）などを設置することができる。
【００１０】
図５及び図６は、本実施形態のユニット脱着用補助運搬具を示す図であり、図５は平面図、図６は背面図である。
図５及び図６に示すように、本実施形態のユニット脱着用補助運搬具５０は、７２０ｍｍ×３６０ｍｍのステンレス製矩形部材５１で、中央に５２０ｍｍ×１７０ｍｍの開口５２があり、矩形部材５１周囲の辺縁及び開口５２の長辺側の辺縁には高さ１５ｍｍの枠体５３が、それぞれ辺縁を折り曲げて形成されている。
ここで、本実施形態の矩形部材は、ステンレスで形成されているが、必ずしもステンレスである必要はない。また、ここで示した矩形部材の寸法は、一例であって、リールモアユニットやサッチングユニットなどの寸法に応じて任意に設定することができる。
開口５２の長辺側の辺縁に形成された第二枠体５３ａは、中央寄りのものは底面側に折り曲げて形成され、矩形部材５１周囲の辺縁に近いものは表面側に折り曲げて形成されている。矩形部材５１周囲の辺縁に形成された第一枠体５３ｂは、辺縁を表面側に折り曲げ、四隅で溶接されている。そして、矩形部材５１の底面側には、隅の４か所と、長辺側中央の辺縁寄りの２箇所にキャスター５５が設置されている。
ここで、キャスター５５は、矩形部材５１の四隅及び長辺側中央の６か所に設置されているが、必ずしも６か所である必要はなく、四隅の４か所に設置することにしてもよい。
本実施形態のユニット脱着用補助運搬具１００を用いてハウジング７１を搬送する際は、開口５２に、サッチングユニット７２を収容し、矩形部材５１周囲の辺縁に形成された第一枠体５３ｂと開口５２の長辺側の辺縁に形成された第二枠体５３ａとの間に前ローラを収容する。開口５２が形成された面は、地面からキャスター５５の高さだけ高くなっているので、リールモア７４を形成するサッチングユニット７２及びリールカッターが地面に触れることはなく、サッチングユニット７２の刃面などを保護することができる。そして、キャスター５５を設けてあるので、多連モア１００から取り外したハウジング７１を任意の場所に搬送して、リールカッターを研磨することや、新品と交換することが容易である。また、スカイパーユニットを構成するスパイクや、ブラシユニットを構成するブラシ、芝面に通気孔を開けるエアレーションを構成する長さが５乃至６ｍｍのタイタンなどのアタッチメントについても同様に脱着することができる。
【００１１】
図７及び図８は、本実施形態のユニット脱着用補助運搬具の使用例を示す図である。
図７に示すように、傾斜アームＡでハウジング７１を引き上げた後、ハウジング７１と芝面又は地面との隙間に本実施形態のユニット脱着用補助運搬具５０を滑り込ませる。そして、図８に示すように、開口５２に、例えばタイタン（或いはサッチングユニット、スパイク、ブラシ）を収容する。
【産業上の利用可能性】
【００１２】
凹凸のある部材がケーシングから突出した重量物の搬出入に活用できる。
【符号の説明】
【００１３】
５０        ユニット脱着用補助運搬具  
５１        矩形部材    
５２        開口
５３        枠体    
５３ａ      第二枠体    
５３ｂ      第一枠体
５５        キャスター
７０        前ローラ
７１        ハウジング
７２        サッチングユニット
７３        後ローラ
７４        リールモア
７７        連結ロッド
７８        支持ロッド
１００      多連モア
Ａ１〜Ａ５  傾斜アーム
Ｕ１〜Ｕ５  芝刈ユニット
【図１】
0003202107.tif 000003
【図２】
0003202107.tif 000004
【図３】
0003202107.tif 000005
【図４】
0003202107.tif 000006
【図５】
0003202107.tif 000007
【図６】
0003202107.tif 000008
【図７】
0003202107.tif 000009
【図８】
0003202107.tif 000010
【手続補正書】
【提出日】平成27年11月5日(2015.11.5)
【手続補正１】
【補正対象書類名】実用新案登録請求の範囲
【補正対象項目名】請求項３
【補正方法】変更
【補正の内容】
【請求項３】
前記リールモアユニットを構成するリールモアは前記開口に収容され、該リールモアよりも進行方向前方に配置された前ローラは、前記第一枠体と前記第二枠体との間に収容されることを特徴とする請求項２記載のユニット脱着用補助運搬具。